(57)【要約】【課題】外的変化の影響を受け難い情報管理デバイスを提供する。【解決手段】基板(1a)上にICチップ(1b)及びアンテナ(1c)を搭載したRFIDタグ(1)を支持部材(2)と支持部材(3)とで挟んで支持し、支持部材(3)からタグ(1)に至るまで支持部材(3)及びタグ(1)をカバーするカバー部材(4)を射出成形して設け、支持部材(2)とカバー部材(4)とで直方体を形成する。この直方体から突き出た支持部材(3)の弾性部(3_1, 3_2)が、容器に設けられた挿入部に取り外し可能に挿入されて該直方体を該容器の側面に押し付ける。すなわち、RFIDタグ1は支持部材2とカバー部材4で挟まれ支持され、これに支持部材3を同時に封入することにより容器5への取付性を改善している。【選択図】図1
2007316825.tif 000002
【特許請求の範囲】
【請求項１】
基板上にICチップ及びアンテナを搭載したRFIDタグと、
該タグの下面を支持する第1の支持部材と、
該タグの上面の周囲に当接し該タグと共に該第1の支持部材内に収容される第2の支持部材と、
該第2の支持部材から該タグの他方の面に至るまで射出成形されて該第2の支持部材及び該タグをカバーすることにより該第1の支持部材と共に直方体を形成するカバー部材と、
を備え、該第2の支持部材が、該直方体から突き出た弾性部であって、容器に設けられた挿入部に取り外し可能に挿入されて該直方体を該容器の側面に押し付けるものを有することを特徴とした情報管理デバイス。
【請求項２】
基板上にICチップ及びアンテナを搭載したRFIDタグと、
該タグの下面を支持する第1の支持部材と、
該タグの上面の周囲に当接し該タグと共に該第1の支持部材内に収容される第2の支持部材と、
該第2の支持部材から該タグの他方の面に至るまで射出成形されて該第2の支持部材及び該タグをカバーすることにより該第1の支持部材と共に直方体を形成するカバー部材と、
を備え、該第2の支持部材が、該直方体から突き出た取付部であって、容器の側面と溶着されるものを有することを特徴とした情報管理デバイス。
【請求項３】
請求項１において、
該アンテナと電磁結合するように該第2の支持部材とカバー部材との間に設けられた第1の部分と、該第1の部分に接続され該容器の周囲に張られる長さを有する第2の部分とで構成されたループアンテナを両支持部材を通り抜けるように設けたことを特徴とした情報管理デバイス。
【請求項４】
請求項１から３のいずれか一つにおいて、
該第1の支持部材及びカバー部材がマクロメルトを含むホットメルト材であり、該第2の支持部材及び容器がポリプロピレンであることを特徴とした情報管理デバイス。
【発明の詳細な説明】
【技術分野】
【０００１】
本発明は情報管理デバイスに関し、特に商品を収容する容器（コンテナ）に設けられて商品の管理情報を知らせることができる情報管理デバイスに関するものである。
【背景技術】
【０００２】
上記のような情報管理デバイスの従来例が図8に示されている。同図(1)には、例えば物流品を収容する容器5の一側面に、その物流品に関する管理票30を付ける際、支持部材3によって管理票30を支持している。
【０００３】
すなわち、この支持部材3は、同図(2)に示すようにポリプロピレン等で形成された枠体であり、その一部に弾性部3_1及び3_2を設けると共に、この弾性部3_1及び3_2を、容器5に設けた挿入部6_1及び6_2に挿入することにより、支持部材3から容器5の側面に対して押し付ける弾性力が働き、以て管理票30を容器5の側面に押し付け、落ちないようにしている。
【０００４】
このようにして、青果市場、家電製品、高級アパレルなどの流通において、商品の最適情報を容器側面の管理票に集約し、流通を円滑に機能させている。
【発明の開示】
【発明が解決しようとする課題】
【０００５】
しかしながら、このような従来技術の場合には、外的（物理的）な変化により、管理票30が剥がれてしまったり、落下したりすることがある。また、この管理票が紙で作られているような場合には、雨などの外的変化によって破損してしまうことになる。このため、その容器に収容されている商品の内容が分からなくなってしまったり、場合によっては取り違って扱われてしまうというような問題があった。
【０００６】
従って本発明は、外的な変化の影響を受け難い情報管理デバイスを提供することを目的とする。
【課題を解決するための手段】
【０００７】
[1]上記の目的を達成するため、本発明に係る情報管理デバイスは、基板上にICチップ及びアンテナを搭載したRFIDタグと、該タグの下面を支持する第1の支持部材と、該タグの上面の周囲に当接し該タグと共に該第1の支持部材内に収容される第2の支持部材と、該第2の支持部材から該タグの他方の面に至るまで射出成形されて該第2の支持部材及び該タグをカバーすることにより該第1の支持部材と共に直方体を形成するカバー部材と、を備え、該第2の支持部材が、該直方体から突き出た弾性部であって、容器に設けられた挿入部に取り外し可能に挿入されて該直方体を該容器の側面に押し付けるものを有することを特徴としている。
【０００８】
すなわち、本発明では、第1の支持部材上にRFIDタグを置き、このRFIDタグの上面の周囲に第2の支持部材を当接して第1の支持部材内に収容する。そして、この状態で、第2の支持部材からタグに至るまでカバー部材を射出成形することにより、RFIDタグを完全に密封することができる。このとき、カバー部材と第1の支持部材とで直方体を形成し、この直方体からは第2の支持部材に設けた弾性部が突き出ている。
【０００９】
このようにRFIDタグを密封した情報管理デバイスを、商品の容器に取り付ける際、第2の支持部材に設けた弾性部を、図8(1)に示したような挿入部に対して取り外し可能に挿入することで、第2の支持部材は弾性部の弾力性により該直方体を容器の側面に押し付けて固定している。
【００１０】
このように本発明では、管理票の代わりにRFIDタグを用いることにより、容器に収容する商品に関する大容量の管理情報を絶えず記憶又は更新することが可能である。また、RFIDタグが密封されているので、温度や湿度などによる外的ストレスの影響を受けずに済む。
【００１１】
従って、本発明の情報管理デバイスにより、物流などにおける各部署で正確、迅速、効率且つ安全性に優れた情報管理を実現することが可能となる。
【００１２】
なお、第2の支持部材の弾性部による弾性力で、該直方体と容器との間に、従来と同様の管理票を挟むことも可能である。
【００１３】
[2]また本発明では、基板上にICチップ及びアンテナを搭載したRFIDタグと、該タグの下面を支持する第1の支持部材と、該タグの上面の周囲に当接し該タグと共に該第1の支持部材内に収容される第2の支持部材と、該第2の支持部材から該タグの他方の面に至るまで射出成形されて該第2の支持部材及び該タグをカバーすることにより該第1の支持部材と共に直方体を形成するカバー部材と、を備え、該第2の支持部材が、該直方体から突き出た取付部であって、容器の側面と溶着されるものを有することを特徴とした情報管理デバイスが提供される。
【００１４】
この場合には、第2の支持部材に弾性部を用いない代わりに、容器の側面と溶着されるための取付部を設けており、これによってこの取付部と容器とが溶着固定されることとなる。
【００１５】
[3]また本発明では、上記のアンテナと電磁結合するように該第2の支持部材とカバー部材との間に設けられた第1の部分と、該第1の部分と接続され共に該容器の周囲に張られる長さを有する第2の部分とで構成されたループアンテナを両支持部材を通り抜けるように設けることもできる。
【００１６】
すなわち、この場合には、RFIDタグは、ループアンテナと電磁結合し、ループアンテナの第1の部分から第2の部分に電気信号が送られることにより、その容器の周囲に電磁界が形成されることとなり、より広い範囲での物流管理が可能となる。
【００１７】
[4]なお、上記第1の支持部材及びカバー部材にはマクロメルトを含むホットメルト材を用い、上記第2の支持部材及び容器はポリプロピレンを用いることができる。
【発明の効果】
【００１８】
以上のように本発明によれば、RFIDタグへの温度や湿度などの外的ストレスの影響を大幅に軽減させることができる。また、容器に収容される商品に関する管理情報を大幅に増大させることができると共に、このRFIDタグと結合されるリーダ／ライタによって正確且つ迅速な情報の伝達を実現することが可能となる。
【００１９】
また、直方体内においてRFIDタグを樹脂で密着しているので、該直方体をメタノールに浸漬させることにより、支持部材とカバー部材とRFIDタグとを容易に剥離することができ、これらを分別回収することが可能となる。
【発明を実施するための最良の形態】
【００２０】
以下、本発明に係る情報管理デバイスの実施例を図面を参照して説明する。
【００２１】
実施例[1]：図1〜図4
この実施例では、図8に示した支持部材3を用いるが、管理票の代わりにRFIDタグを用いたものである。すなわち、この実施例による情報管理デバイスは、図1(1)に示すように、マクロメルトなどのホットメルト材の第1の支持部材2に、基板1a上にICチップ1bとアンテナ1cを搭載したRFIDタグ1を載置し、更にこのRFIDタグ1に対して、その周囲に当接するように、例えばポリプロピレン製の第2の支持枠3を設置する。そして更にこれらのRFIDタグ1及び支持部材3に対して射出成形した、例えばホットメルト材のカバー部材4を設けたものである。
【００２２】
この結果、これら支持部材2とRFIDタグ1と支持部材3とカバー部材4とを結合することにより、同図(2)に示す直方体の情報管理デバイス10が形成される。この場合、支持部材2には溝2_1及び2_2が設けられており、この溝2_1及び2_2を介して支持部材3の一部が支持部材2から飛び出た形状となっている。
【００２３】
従って、支持部材3に設けた弾性部3_1及び3_2を、例えばポリプロピレン製の容器5に設けられている挿入部6_1及び6_2にそれぞれ挿入することにより、図2(1)及び(2)に示すように、支持部材3がその弾性部3_1及び3_2の弾性力により、この情報管理デバイス10全体を容器5の一側面に押し付けることができる。
【００２４】
従って、RFIDタグ1を密封した情報管理デバイス10は、容器5に対して固定した状態に置かれることとなり、この容器5を物流過程に置くときには、この情報管理デバイス10が脱落したりする問題が無くなる。
【００２５】
また、図3に示すように、この情報管理デバイス10は、容器5に押し付けられているところから、図8に示した従来例と同様に、管理票30も合わせて付けることが可能となる。
【００２６】
図4は、このような実施例における情報管理デバイス10の製造過程を示している。
【００２７】
すなわち、同図(1)に示すように、まず金型11_1及び11_2を用意し、この内の金型11_1に設けた注入口12_1からホットメルト材の樹脂を注入して支持部材2を形成する。
【００２８】
その後、金型11_1を取り外し、RFIDタグ1と、この側面に当接した支持部材3を、更に支持部材2に載せる。この状態（RFIDタグ1を支持部材2の上面と同面積まで拡大し、このRFIDタグ1の周囲に支持部材3を当接させてもよい。）で、別の金型11_3を金型11_2に載せ、且つ金型11_3の注入口12_2からやはりホットメルト材の樹脂を注入することにより、この樹脂が支持部材3及びRFIDタグ1の両方の上に射出成形され、カバー部材4が形成される。これにより、図1(2)に示すように、RFIDタグ1は支持部材2と支持部材3とカバー部材4とで密封され、支持部材2とカバー部材4とで直方体を形成する。
【００２９】
なお、本実施例で、支持部材3にポリプロピレン等の一定の剛性を備えた材料を使用しているのは、弾性部3_1及び3_2による弾性力を確実に容器5に伝えるためである。また、支持部材3を枠体とし開口部を設けているのは、RFIDタグ1をカバー部材4による樹脂で密封するためである。
【００３０】
実施例[2]：図5及び図6
この実施例では、上記の実施例[1]における支持部材3の代わりに支持部材7を用いている点が異なっている。すなわち、本実施例[2]における支持部材7は、容器5に取り付けるための取付部7_1〜7_4を設けている。
【００３１】
そして、このような取付部7_1〜7_4を設けることに伴って、RFIDタグ1を載置するための支持枠2aは、図5(1)に示すように上記の実施例[1]とは異なった溝2a_1〜2a_4を有し、そこから取付部7_1〜7_4をそれぞれ飛び出させるようにして、同図(2)に示す情報管理デバイス10aを実現している。
【００３２】
図5(3)には、同図(2)に示した情報管理デバイス10aを容器5に取り付けた状態が示されており、この場合、容器5は例えばポリプロピレンでできており、また支持部材7も同じポリプロピレンでできているところから、取付部7_1〜7_4を容器5に溶着することができる。
【００３３】
図5に示した実施例の場合には、支持部材7に取付部7_1〜7_4を設けて同じ材料の容器5と溶着させているが、図6に示す実施例の場合には、このような支持部材自体を設けず、支持部材2bとRFIDタグ1とカバー部材4bとで構成することも可能である。
【００３４】
このような場合には、まず支持部材2bにおいてその四隅にリベット穴21_1〜21_4を設けると共に、カバー部材4aにおいても、リベット穴22_1〜22_4をリベット穴21_1〜21_4に対応するように設けている。
【００３５】
そして、上記と同様に支持部材2b内にRFIDタグ1を載置し、この状態でカバー部材4aを射出成形することにより、図6(2)に示すような情報管理デバイス10bが形成される。
【００３６】
そして、同図(2)に示すように、リベット穴22_1〜22_4に対して、リベット23_1〜23_4をそれぞれ用意し、更に容器5においても対応する箇所にリベット穴（図示せず）を設けることにより、同図(3)に示すように、リベット23_1〜23_4によってこの情報管理デバイス10bを容器5の一側面に固定させることができる。
【００３７】
実施例[3]：図7
この実施例の場合には、上記の実施例[1]において、基板1a上のアンテナ1cに対して電磁結合するループアンテナ24を設けた点が異なっている。
【００３８】
すなわち、図7(1)に示すように、支持部材2の上にRFIDタグ1を載置し、更に支持部材3を載せた状態で、ループアンテナ24を設置する。このループアンテナ24は、電磁結合部24aと放射部24bとで構成され、電磁結合部24aをアンテナ1cの上に置くことにより電磁結合を発生させ、この電磁結合部24aに接続された放射部24bを支持部材2及び3から引っ張り出す。この状態でカバー部材4cを上記の実施例(1)と同様に射出成形することにより、図7(2)に示すような情報管理デバイス10cが実現される。
【００３９】
そこで、このような情報管理デバイス10cを、上記の実施例(1)と同様に、容器5の一側面に弾性部3_1及び3_2と挿入部6_1及び6_2との結合によって情報管理デバイス10cを容器5の一側面に押し付ける弾性力を発生させる。そして、この情報管理デバイス10cから延長した放射部24bを容器5の周囲に渡らせる。
【００４０】
これにより、ループアンテナの放射部24bの全域においてRFIDタグ1の読み書きが可能となる。  
【００４１】
なお、本発明は、上記実施例によって限定されるものではなく、特許請求の範囲の記載に基づき、当業者によって種々の変更が可能なことは明らかである。
【図面の簡単な説明】
【００４２】
【図１】本発明に係る情報管理デバイスの実施例[1]の分解図及び全体斜視図である。
【図２】図1に示した本発明の実施例[1]を容器に取り付けた状態を示した斜視図及び側面図である。
【図３】図2に示した本発明の情報管理デバイスの取付状態において、従来と同様に管理票を挟んだ状態を示した斜視図である。
【図４】本発明に係る情報管理デバイスの実施例[1]の製造工程を示した断面図である。
【図５】本発明に係る情報管理デバイスの実施例[2]を示した分解図、斜視図、及び容器への取付状態斜視図である。
【図６】図5に示した実施例の変形例を示した分解図、斜視図、及び容器への取付状態斜視図である。
【図７】本発明に係る情報管理デバイスの実施例[3]を示した分解図、斜視図、及び容器への取付状態斜視図である。
【図８】従来の情報管理デバイスを示した斜視図である。
【符号の説明】
【００４３】
1  RFIDタグ
1a  基板
1b  ICチップ
1c  アンテナ
10, 10a, 10b, 10c  情報管理デバイス
11_1, 11_2, 11_3  金型
12_1, 12_2  注入口
2, 2a, 2b, 3, 7  支持部材
2_2, 2a_1, 2a_2, 2a_3  溝
3_1, 3_2  弾性部
4, 4a, 4b, 4c  カバー部材
5  容器
6_1, 6_2  挿入部
7_1, 7_2, 7_3, 7_4  取付部
21_1, 21_2, 21_3, 22_1, 22_2, 22_3, 22_4  リベット穴
23_1, 23_2, 23_3, 23_4  リベット
24  ループアンテナ
24a  電磁結合部
24b  放射部
30  管理票
図中、同一符号は同一又は相当部分を示す。
【図１】
2007316825.tif 000003
【図２】
2007316825.tif 000004
【図３】
2007316825.tif 000005
【図４】
2007316825.tif 000006
【図５】
2007316825.tif 000007
【図６】
2007316825.tif 000008
【図７】
2007316825.tif 000009
【図８】
2007316825.tif 000010